(57)【要約】容器取り付け装置は、容器ホルダーとクランプとを包含する。前記クランプは、その垂直表面又はその水平表面のいずれかから延びるクランプマウントを形成するために、様々な支持部材に取り付けることができる。前記容器ホルダーは、後部マウントと底部マウントとの両方を有し、前記後部マウント及び前記底部マウントの各々は、前記クランプマウントの配向に応じて前記クランプマウントに選択的に取り付けることができる。前記容器ホルダーの前記後部マウント及び前記底部マウントの各々は複数の配向で前記クランプマウントと組み合わせることができ、これにより、容器取り付け装置を実施することができる多数の異なる構成を提供することができる。
2014507341.tif 000002
【特許請求の範囲】
【請求項１】
容器取り付け装置において、
（ａ）容器ホルダーであって、頂面及び底面を有する底部壁と、前面及び後面を有する側壁と、前記底部壁の前記底面に設けられている底部マウントと、前記側壁の前記後面に設けられている後部マウントトとを包含している容器ホルダーと、
（ｂ）クランプであって、第１のジョーと、第２のジョーと、解除可能な係止部材とを包含し、
前記第１のジョーが第１のクランプ表面とクランプマウントとを有し、前記底部マウントと前記クランプマウントが選択的に組み合って前記容器ホルダーを底部取り付けの配向で前記第１のジョーに取り付け、又は、前記後部マウントと前記クランプマウントとが選択的に組み合って前記容器ホルダーを後部取り付けの配向で前記第１のジョーに取り付け、
前記第２のジョーが第２のクランプ表面を有し、前記第２のジョーが前記第１のジョーと組み合って、前記第１のジョーが前記第２のジョーに対して摺動し、前記第１のジョーと第２のジョーとが相互作用し、前記第１のクランプ表面と前記第２のクランプ表面との間で支持部材を締め付けることによって前記クランプを前記支持部材に取り付け、前記第１のクランプ表面が前記第１のジョーとともに移動すると共に、前記第２のクランプ表面が前記第２のジョーとともに移動し、及び
前記解除可能な係止部材が、前記第１のジョーと前記第２のジョーとが互いから離れて移動しないように互いに対して相対位置で前記第１のジョーと前記第２のジョーとを係止する係止位置と、前記第１のジョーと前記第２のジョーとが互いから離れて移動することを可能にする非係止位置とを有している容器取り付け装置。
【請求項２】
前記クランプマウントが前記第１のジョーの垂直表面に提示されるように前記第１のジョー及び前記第２のジョーが前記支持部材に取り付けられたときに、前記後部マウントが前記容器ホルダーを後部取り付けの配向で提示するように前記クランプマウントと選択的に組み合い、前記底部壁の前記頂面がこの頂面上で使用に適切な配向で容器を選択的に受けるようにほぼ水平方向に延びている、請求項１記載の容器取り付け装置。
【請求項３】
前記クランプマウントが前記第１のジョーの水平表面に提示されるように前記支持部材に前記第１のジョーと前記第２のジョーとが取り付けられたときに、前記底部マウントが前記容器ホルダーを底部取り付けの配向で提示するように前記クランプマウントと選択的に組み合い、前記底部壁の前記頂面がこの頂面上で使用に適切な配向で容器を選択的に受けるようにほぼ水平方向に延びている、請求項２記載の容器取り付け装置。
【請求項４】
前記底部マウントと前記クランプマウントとが選択的に組み合って前記容器ホルダーを底部取り付けの配向で前記第１のジョーに取り付け、前記底部マウント及び前記クランプマウントが前記容器ホルダーの垂直軸線を中心として回転した異なる配向で前記容器ホルダーを前記クランプマウントに取り付けすることができるように構成され、又は、前記後部マウントと前記クランプマウントとが選択的に組み合って前記容器ホルダーを後部取り付けの配向で前記第１のジョーに取り付け、前記後部マウント及び前記クランプマウントが前記容器ホルダーの水平軸線を中心として回転した異なる配向で前記容器ホルダーを前記クランプマウントに取り付けすることができるように構成されている、請求項３記載の容器取り付け装置。
【請求項５】
前記後部マウントと前記底部マウントとが同一であるように選択されるという条件の下で、前記底部マウントが凸型マウント及び凹型マウントから選択されると共に、前記後部マウントが凸型マウント及び凹型マウントから選択され、前記底部マウント及び前記後部マウントが凸型マウントであるように選択される場合には、前記クランプマウントは凹型マウントであるように選択され、又は、前記底部マウント及び前記後部マウントが凹型マウントであるように選択される場合には、前記クランプマウントは凸型マウントであるように選択される、請求項３記載の容器取り付け装置。
【請求項６】
前記クランプマウントがポストとこのポストから延びているフランジとを包含する凸型マウントであり、また前記後部マウントが、前記容器を後部取り付けの配向で取り付けるように前記後部マウントが前記フランジを選択的に受けるようなトラックを包含する凹型マウントであり、更に前記底部マウントが、前記後部マウントと同一であるという条件から、前記容器を底部取り付けの配向で取り付けるように前記底部マウントが前記フランジを選択的に受けるようなトラックを包含する凹型マウントである、請求項５記載の容器取り付け装置。
【請求項７】
前記クランプマウントが、前記容器ホルダーを複数の配向で前記後部マウントにおいて前記クランプマウントに取り付けることが可能になるように、複数の配向で前記後部マウントの前記トラックにおいて選択的に受けられる、請求項６記載の容器取り付け装置。
【請求項８】
前記クランプマウントの前記フランジが偶数の辺を有する正多角形を画定する最も外側の縁部を備える外周を有し、これにより、前記正多角形の２つの向かい合った辺の第１のセットが、第１の配向又はこの第１の配向から１８０度オフセットした第２の配向で前記容器ホルダーを前記クランプマウントに選択的に取り付けるように、前記後部マウントの前記トラックにおいて選択的に受けられ、また、前記正多角形の２つの向かい合った辺の第２のセットが、第３の配向又はこの第３の配向から１８０度オフセットした第４の配向で前記容器ホルダーを前記クランプマウントに選択的に取り付けるように、前記後部マウントの前記トラックにおいて選択的に受けられる、請求項７記載の容器取り付け装置。
【請求項９】
前記クランプマウントの前記フランジが正方形を画定する最も外側の縁部を備える外周を有し、これにより、前記正方形の２つの向かい合った辺の第１のセットが、前記第１の配向又は前記第２の配向のいずれかで前記容器ホルダーを取り付けるように前記後部マウントの前記トラックにおいて選択的に受けられ、また、前記正方形の２つの向かい合った辺の第２のセットが、前記第３の配向又は前記第４の配向で前記容器ホルダーを取り付けるように前記後部マウントの前記トラックにおいて選択的に受けられる、請求項８記載の容器取り付け装置。
【請求項１０】
前記クランプマウントが、前記容器ホルダーを複数の配向で前記底部マウントにおいて前記クランプマウントに取り付けることが可能になるように、複数の配向で前記底部マウントの前記トラックにおいて選択的に受けられる、請求項６記載の容器取り付け装置。
【請求項１１】
前記クランプマウントの前記フランジが偶数の辺を有する正多角形を画定する最も外側の縁部を備える外周を有し、これにより、前記正多角形の２つの向かい合った辺の第１のセットが、第１の配向又はこの第１の配向から１８０度オフセットした第２の配向のいずれかで前記容器ホルダーを前記クランプマウントに選択的に取り付けるように、前記底部マウントの前記トラックにおいて選択的に受けられ、また、前記正多角形の２つの向かい合った辺の第２のセットが、第３の配向又はこの第３の配向から１８０度オフセットした第４の配向で前記容器ホルダーを前記クランプマウントに選択的に取り付けるように、前記底部マウントの前記トラックにおいて選択的に受けられる、請求項１０記載の容器取り付け装置。
【請求項１２】
前記クランプマウントの前記フランジが、正方形を画定する最も外側の縁部を備える外周を有し、これにより、前記正方形の２つの向かい合った辺の第１のセットが、前記第１の配向又は前記第２の配向のいずれかで前記容器ホルダーを取り付けるように、前記底部マウントの前記トラックにおいて選択的に受けられ、また、前記正方形の２つの向かい合った辺の第２のセットが、前記第３の配向又は前記第４の配向で前記容器ホルダーを取り付けるように、前記後部マウントの前記トラックにおいて選択的に受けられる、請求項１１記載の容器取り付け装置。
【請求項１３】
前記底部マウントが前記底部取り付け位置で前記クランプマウントに係合する解除可能な底部ラッチを包含し、また前記後部マウントが後部取り付け位置で前記クランプマウントに係合する解除可能な後部ラッチを包含する、請求項６記載の容器取り付け装置。
【請求項１４】
前記底部マウントの前記トラックが取り付け経路を画定し、また前記解除可能な底部ラッチがラッチ部材を有するレバーアームを包含し、前記ラッチ部材が前記クランプマウントの前記フランジの外周表面に係合して前記フランジを前記トラック内に保持するように前記取り付け経路へと延びている、請求項１３記載の容器取り付け装置。
【請求項１５】
前記解除可能な係止部材が、前記第１のジョー及び前記第２のジョーのうちの一方によって保持されているつめと、前記第１のジョー及び前記第２のジョーのうちの他方によって保持されているラチェットラックとを包含し、前記ラチェットラックが複数の歯を有し、前記つめが前記係合位置で前記ラチェットラックの前記歯に係合するように付勢され、前記係合位置では前記第１のクランプ表面が前記第２のクランプ表面に向かうにつれて前記つめが前記歯上をラチェット駆動し、前記係合位置では前記つめは前記第１のクランプ表面が前記第２のクランプ表面から離れて動くのを防止している、請求項１記載の容器取り付け装置。
【請求項１６】
前記解除可能な係止部材が更に前記つめに係合するスイッチを包含し、前記スイッチが前記係合位置から非係合位置にまで動くように選択的に操作され、前記非係合位置では、前記つめが前記ラチェットラックの前記歯に係合しておらず、前記第１のクランプ表面が前記第２のクランプ表面から離れて動くのを防止していない、請求項１５記載の容器取り付け装置。
【請求項１７】
前記第１のクランプ表面が前記第１のジョーのねじ穴を貫通して延びているねじに取り付けられ、前記ねじが前記第２のクランプ表面に対しての前記第１のクランプ表面の位置をマイクロ調整するために選択的に回転される、請求項１記載の容器取り付け装置。
【請求項１８】
前記底部マウントと前記後部マウントとが結合されて連続マウントを形成し、これにより、前記クランプマウントが、前記クランプマウント及び前記連続マウントを係合解除することなく、底部取り付けの配向と後部取り付けの配向との間で選択的に動かされる、請求項１記載の容器取り付け装置。
【請求項１９】
前記容器ホルダーの前記底部壁の前記頂面が第１の形状の容器を受けるように成形され、また前記容器取り付け装置が更に前記頂面において選択的に受けられるアダプタ部材を包含し、前記アダプタ部材が第２の形状の容器を受けるための頂面を有している、請求項１記載の容器取り付け装置。
【請求項２０】
施設内の所望の場所において使用するために所望の製品を提供する方法であって、
複数のクランプを用意する段階であって、各クランプが前記施設内の個別の場所において支持部材に取り付けられる段階と、
複数の容器ホルダーを用意する段階であって、各容器ホルダーが前記施設において使用するために所望の製品を保有する容器を保持すると共に前記複数のクランプのいずれか１つに選択的に取り付け可能である段階と、
前記施設内の個人に前記複数の容器ホルダーのうちの１つを用意する段階であって、前記個人が当該容器ホルダーを所定の個別の場所まで持ち運び、前記個別の場所では、前記複数のクランプのうちの１つが配備されて当該容器ホルダーを当該クランプに選択的に取り付け、これにより、使用するために所望の場所に製品を内部に保有している前記容器を用意する段階と、
を包含する方法。
【発明の詳細な説明】
【技術分野】
【０００１】
本発明は、一般には、容器取り付け装置に関する。より詳細には、本発明は、クランプから分離可能である容器ホルダーを包含する容器取り付け装置に関する。容器ホルダーは、エンドユーザが利用できるようにすべき製品を保有する容器を保持する。本発明は特定の製品に限定されるものではないが、本発明の容器取り付け装置は手指衛生製品を提供するために特に有用である。また、本発明は特定の環境に限定されないが、本発明は保健施設及び他の手指衛生が重要である施設において有益であることが分かるであろう。
【背景技術】
【０００２】
病院、老人ホーム及びホスピス介護施設のような保健施設は満足な手指衛生が実施されていないという問題を抱えていることがよく知られている。これらの設備内の職員は部屋から部屋へと、また患者から患者へと移動するので、設備全体に病原菌、細菌及びウイルスなどを伝達することを回避するために、職員が良好な手指衛生の実施を維持することが重要である。石けん及び殺菌剤のような製品は、適切かつ頻繁に使用される場合、病原菌、細菌及びウイルスなどの伝達が最小限に保たれる衛生的な環境を促進する役割を果たすことがある。したがって、これらの施設は良好な手指衛生の実施から恩恵を受けることができる。
【０００３】
このような施設において良好な手指衛生の実施を促進する１つの方法は、職員及び患者が石けん及び殺菌剤を容易に利用できるようにすることである。したがって、多くの病院は、これらの施設の異なる複数の部屋の近くに、又はそれらの中にハンドソープディスペンサ及び／又は手指殺菌剤ディスペンサを配備している。このようなディスペンサの大部分は、恒久的に取り付けられ、例えば、米国特許第６，８７７，６４２号の壁掛型ディスペンサのように典型的には壁掛型である。したがって、このようなディスペンサが施設の各部屋の近くに又は各部屋の中に配備されているときであっても、ディスペンサが恒久的に取り付けられている場所に職員が接近する時間をとれないことのみを理由に、ディスペンサの使用が回避されることがある。当技術分野は、石けん又は手指殺菌剤を収容する容器を施設内の様々な表面に選択的に取り付けることができる容器取り付け装置から恩恵を受けることがあり、したがって、職員はより容易にアクセス可能な場所にこれらの手指衛生製品を配置することができるようになり、職員の希望に応じて様々な場所に手指衛生製品の所定の容器を運ぶことさえもできるようになる。
【０００４】
この必要に照らして、本発明は、クランプと、このクランプに選択的に取り付けられる容器ホルダーとを包含する容器取り付け装置を提供する。したがって、容器ホルダーは、クランプを取り付けることができる場所にはどこにでも取り付けることができ、職員は、恒久取り付け型製品ディスペンサを使用することに制限されない。保健施設などについて言及してきたが、本発明の容器取り付け装置は特定の環境における使用に限定されるものではなく、エンドユーザが有益であると分かる場所のどこででも本発明の容器取り付け装置を採用することができることを認識されたい。更に、手指衛生製品を保有する容器について言及してきたが、しかし、任意の所望のアクティビティのために任意の所望の製品を保有する容器を取り付けるために、本発明の容器取り付け装置を採用することができることを認識されたい。例えば、容器は、表面消毒剤などのようなローション製品又は表面処理製品を保有することができる。
【発明の概要】
【０００５】
本発明は、容器ホルダーとクランプとを包含する容器取り付け装置を提供する。前記容器ホルダーは、頂面及び底面を有する底部壁と、前面及び後面を有する側壁とを包含する。前記底部壁の前記底面には底部マウントが設けられ、また前記側壁の前記後面には後部マウントが設けられている。前記クランプは、第１のクランプ表面とクランプマウントとを有する第１のジョーを包含する。前記底部マウントと前記クランプマウントとが選択的に組み合って、前記容器ホルダーを底部取り付けの配向で前記第１のジョーに取り付け、又は前記後部マウントと前記クランプマウントとが選択的に組み合って、前記容器ホルダーを後部取り付けの配向で前記第１のジョーに取り付ける。前記クランプは、更に、第２のクランプ表面を有する第２のジョーを包含する。前記第２のジョーは前記第１のジョーと組み合い、前記第１のジョーは前記第２のジョーに対して摺動する。前記第１のクランプ表面は前記第１のジョーとともに移動すると共に、前記前記第２のクランプ表面は前記第２のジョーとともに移動し、これにより、前記第１のジョーと前記第２のジョーとが相互作用し、前記第１のクランプ表面と前記第２のクランプ表面との間で支持部材を締め付けることによって前記クランプを前記支持部材に取り付ける。前記クランプは、更に、解除可能な係止部材を包含し、前記解除可能な係止部材は前記第１のジョーと前記第２のジョーとが互いから離れて移動しないように互いに対して相対位置で前記第１のジョーと前記第２のジョーとを係止する係止位置を有する。前記解除可能な係止部材は、また、前記第１のジョーと前記第２のジョーとが互いから離れて移動することを可能にする非係止位置も有する。
【０００６】
特定の実施形態では、前記クランプマウントが前記第１のジョーの垂直表面に提示されるように前記第１のジョー及び前記第２のジョーが前記支持部材に取り付けられたときには、前記後部マウントは前記容器ホルダーを後部取り付けの配向で提示するように前記クランプマウントと選択的に組み合い、前記底部壁の前記頂面はこの頂面上で使用に適切な配向で前記容器を選択的に受けるようにほぼ水平方向に延びている。更に、前記クランプマウントが前記第１のジョーの水平表面に提示されるように前記第１のジョーと前記第２のジョーとが前記支持部材に取り付けられたときには、前記底部マウントは前記容器ホルダーを底部取り付けの配向で提示するように前記クランプマウントと選択的に組み合い、前記底部壁の前記頂面はこの頂面上で使用に適切な配向で前記容器を選択的に受けるようにほぼ水平方向に延びている。
【０００７】
他の実施形態では、前記底部マウントと前記クランプマウントとは、前記容器ホルダーを底部取り付けの配向で前記第１のジョーに取り付けるために選択的に組み合い、前記底部マウント及び前記クランプマウントは、前記容器ホルダーの垂直軸線を中心として回転した異なる配向で前記容器ホルダーを前記クランプマウントに取り付けることができるように構成されている。同様に、前記後部マウントと前記クランプマウントとは、前記容器ホルダーを後部取り付けの配向で前記第１のジョーに取り付けるために選択的に組み合い、前記後部マウント及び前記クランプマウントは、前記容器ホルダーの水平軸線を中心として回転した異なる配向で前記容器ホルダーを前記クランプマウントに取り付けることができるように構成されている。
【０００８】
本発明は、また、施設内の所望の場所において使用するために所望の製品を提供するための方法を提供する。本方法は、複数のクランプを用意する段階であって、各クランプが前記施設内の個別の場所において支持部材に取り付けられる段階と、複数の容器ホルダーを用意する段階であって、各容器ホルダーが前記施設において使用するために所望の製品を保有する容器を保持すると共に前記複数のクランプのいずれか１つに選択的に取り付け可能である段階と、前記施設内の個人に前記複数の容器ホルダーのうちの１つを用意する段階であって、前記個人が当該容器ホルダーを所定の個別の場所まで持ち運び、前記個別の場所では、前記複数のクランプのうちの１つが配備されて当該容器ホルダーを当該クランプに選択的に取り付け、これにより、使用するために所望の場所に製品を内部に保有している前記容器を用意する段階とを包含する。
【図面の簡単な説明】
【０００９】
【図１】本発明による容器取り付け装置の側面図であり、クランプ構成要素から係合解除されている容器ホルダーの側面図とともに示されている。
【図２】容器ホルダーを頂部から見た斜視図である。
【図３】容器ホルダーを底部から見た斜視図である。
【図４】容器ホルダーが複数の部品から形成されている、本発明による任意選択の容器取り付け装置を示す組み立て図であり、更に、容器ホルダーにおいて異なる容器を受けるための任意選択のアダプタ部材も示している。
【図５】クランプ構成要素の側面図であって、第２のジョーから分離した第１のジョーを示す。
【図６】クランプ構成要素の側面図であって、第１のジョーと第２のジョーとが係合した状態を示す。
【図７】図６のクランプ構成要素の断面図であって、つめ部材と、ラチェット部材と、マイクロ調整部材と、解除スイッチ部材とを示す。
【図８】容器取り付け装置の側面図であって、垂直方向に延びている支持部材に取りけられて、クランプのクランプマウントが水平方向に延びるようにしているクランプを示す。
【図９】クランプマウント装置の側面図であって、水平方向に延びている支持部材に取り付けられて、クランプマウントが水平方向に延びるようにしているクランプを示す。
【図１０】クランプマウント装置の側面図であって、水平方向に延びている支持部材に取り付けられて、クランプマウントが垂直方向に延びるようにしているクランプを示す。
【図１１】図１０に示されている容器取り付け装置と同様の側面図であるが、容器ホルダーをポンプマウントの軸線に対して１８０度回転させている状態を示す。
【発明を実施するための形態】
【００１０】
本発明による容器取り付け装置は、図１に示され、符号１０によって示されている。容器取り付け装置１０は、容器ホルダー１２と、クランプ１４とを包含する。クランプ１４は、選択的に（すなわち、個人の希望に応じて）様々な支持部材に取り付けられ、容器ホルダー１２はクランプ１４に選択的に取り付けられる。このようにして、エンドユーザにとって好都合な場所に容器Ｂを保有することを目的として、容器ホルダーを様々な場所に取り付けることができる。
【００１１】
容器ホルダー１２は、図２〜図４を参照することによりよく分かる。これらの図を見ると分かるように、容器ホルダー１２は頂面１８と底面２０とを有する底部壁１６を包含する。特定の実施形態では、頂面１８には凹部２２を形成することができ、凹部２２はその中に密接に嵌合するように成形されている断面を有する第１のタイプの容器Ｂ（図１）をしっかりと保持するように成形されている。また、容器ホルダー１２は前面２６と後面２８とを形成する側壁２４を包含する。いくつかの実施形態では、側壁２４の頂部の付近にゲート３０が設けられている。ゲート３０は、容器ホルダー１２に容器Ｂをよりよく固定するために採用される。ゲート３０は、ヒンジ３２によって容器ホルダー１２の一端に固定され、ヒンジ３２とは反対側の端部に設けられたラッチ３４において、容器ホルダーに選択的にラッチ係合する。ラッチ３４は、側壁２４の頂部の付近に設けられているキャッチ３５にも取外し可能に係合する。このゲート３０は、底部壁１６の底面２０とゲート３０とにおいて容器が容器ホルダー１２に固定されるように、容器Ｂの首部を包み込む。容器Ｂが、図１に示されるようにポンプ容器であるときには、製品を分与するためにプランジャーを押し下げる力によって容器が傾く又は底面２０から落下することがあり得るにもかかわらず、ゲート３０は容器を定位置に保つことを助ける。
【００１２】
本発明の一実施形態では、ゲート３０は、ラッチ３４及びそのキャッチ３５との相互作用とがあまり目立たないように設計されている。より詳細には、ラッチ３４及びキャッチ３５があまり目立たないので、容器取り付け装置及びその使用に精通していない人には、容器ホルダー１２に容器Ｂを固定するのを助けるゲート３０からどのようにして容器Ｂを解除する分からないことがある。これは、容器ホルダー１２から容器Ｂを盗もうとする試みを阻み、したがって、望ましい特徴となり得る。他の実施形態では、ラッチ３４とキャッチ３５とは相互作用し、これにより、ラッチ３４とキャッチ３５とを係合解除するためには、ゲート３０を最初はキャッチ３５に向かって内向きに、それから下向きに押さなければならない。これは、容器ホルダー１２からの容器Ｂの容易な解除を阻むためにやはり望ましいことである。
【００１３】
容器ホルダー１２は、任意の好適な材料から形成することができ、また製造を容易にするために、１つに組み立てられた複数の製造された部品から形成することができる。これは図４の実施形態に示されており、容器ホルダー１２がタブ４０とスロット４２との相互作用によって１つに組み立てられている上半分３６と下半分３８とを包含する。底部壁１６はエンドキャップ４４を包含し、このエンドキャップ４４は底部壁１６を完成しまた前面リップ４５を備えるのを助ける。前面リップ４５は容器Ｂを容器ホルダー１２によりよく固定するのを助けることができる。エンドキャップ４４は、また、同様のタブ及びスロットを介して上半分３６及び／又は下半分３８の要素と相互作用する。凹部２２を設ける実施形態では、エンドキャップ４４は凹部２２の外周を完成する役割を果たすことができる。
【００１４】
容器ホルダー１２に様々なタイプの容器を受けることが有益であり得ることが認識されているので、いくつかの実施形態では、アダプタ４６が、凹部２２に受けられるように意図される容器Ｂとは異なる第２のタイプの容器を容器ホルダー１２が受けることができるように別様に成形した凹部２２ｂを備えるために、底部壁１６の頂面１８を覆ってしっかりと嵌合するように設けられる。
【００１５】
容器ホルダー１２をクランプ１４のクランプマウント部分と選択的に組み合せるために、側壁２４の後面２８は後部マウント５０を包含し、また底部壁１６の底面２０は底部マウント５２を包含する。この特定の実施形態では、後部マウント５０は一対の向かい合ったトラック５１を包含し、同様に、底部マウント５２は一対の向かい合ったトラック５３を包含する。トラック５１の長さ内には解除可能な後部ラッチ５４が設けられ、トラック５３への入口には解除可能な底部ラッチ５６が設けられている。図示の特定の実施形態では、解除可能な後部ラッチ５４と解除可能な底部ラッチ５６とが容器ホルダー１２の下半分３８の一部分として形成され、容器ホルダー１２は、解除可能な後部ラッチ５４と解除可能な底部ラッチ５６とがそれらのリビングヒンジ上で枢動するように、プラスチックなどの弾性材料から形成されている。解除可能なラッチ５４及び５６の機能及びそれらのクランプ１４のクランプマウントとの相互作用とについて、まずクランプ１４の態様についてより詳細に説明した後に、以下の本明細書でより十分に説明する。
【００１６】
クランプ１４は図５〜図７に詳細に示されており、クランプ１４は第１のジョー６０と第２のジョー６２とを包含する。第１のジョー６０は第２のジョー６２と選択的に組み合い、これにより、第１のジョー６０のクランプ表面６４（図７）が第２のジョー６２のクランプ表面６６（図７）に対してほぼ平行に延びると共に第２のジョー６２のクランプ表面６６から離間する。第１のジョー６０と第２のジョー６２とは、クランプ表面６４とクランプ表面６６との間で支持部材を締め付けることによってクランプ１４を支持部材に取り付けるように相互作用する。この特定の実施形態では、クランプ表面６４及び６６は、それぞれのジョー部材６０、６２のそれぞれの本体部材６８及び７０までほぼ垂直に延びるが、他の構造が本発明による採用について好適なクランプを提供するのに十分であると分かるので、本発明は、図面に示されたいずれかの特定の構造に限定されるものでも、あるいはこのような特定の構造によって限定されるものでもない。特定の実施形態では、クランプ表面６４はデテント７２を包含することができ、同様に、クランプ表面６６はデテント７２と実質的に整列したデテント７４を包含することができる。これらのデテント７２及び７４は、デテント７２及び７４においてクランプ表面６４とクランプ表面６６との間で棒を締め付けることによって、クランプ１４を棒に固定することができるようにする役割を果たす。これにより、（静脈注射用の溶液を患者に投与するための）ＩＶスタンドの棒にクランプを取り付けるために特に有用であることがわかる。特定の実施形態では、クランプ表面６４及び６６はクランプ１４が固定される表面に作用するグリップ力を緩衝しまた増大させるように、符号７６及び７８で示されるようなクッション部材で被覆することができる。
【００１７】
図５〜図７に示すように、第２のジョー６２の本体部材７０は第１のジョー６０の本体部材６８によって形成されているトラック内を摺動し、このようにして、第１のジョー６０と第２のジョー６２とは選択的に互いに組み合って摺動する。第１のジョー６０及び第２のジョー６２は、クランプ１４を支持部材に固定するためにそれらの相対位置で定位置に係止される。より詳細には、第２のジョー６２に解除可能な係止部材９０が設けられ、この係止部材９０は、第１のジョー６０と第２のジョー６２とが互いから離れて移動しないように互いに相対位置で第１のジョー６０と第２のジョー６２とを係止する係止位置を有する。解除可能な係止部材９０は、また、第１のジョー６０と第２のジョー６２とが互いから離れて移動することを可能にする非係止位置を有する。第１のジョー６０及び第２のジョー６２の相対位置のこの係止及び非係止を実行するために様々な機構を採用することができるが、本実施形態は、図７を見ると最もよく分かるように、つめ−ラチェット機構を採用している。
【００１８】
このつめ−ラチェットの実施形態では、第２のジョー６２にはつめ９２が形成され、このつめ９２は、第１のジョー６０と第２のジョー６２とが互いに対して摺動するにつれて、ラチェット９４上をラチェット駆動し、これにより、クランプ表面６６をクランプ表面６４により近接させることができる。つめ９２は、通常ラチェット９４に係合するように付勢されているが、クランプ表面６４とクランプ表面６６とを互いにより近接させるにつれて、ラチェット９４の複数の歯９６上でラチェット駆動するのに十分な弾性がある。ラチェット９４の直鎖状のラック９８は、クランプ表面６４とクランプ表面６６とをより近接させるための直線運動中につめ９２がラチェット駆動する傾斜表面９７を有する複数の歯９６を包含する。ラック９８は、更に、（図７の配向において）垂直方向の停止表面９９を包含する。この停止表面９９は、クランプ表面６４とクランプ表面６６とを離そうと試みるときには、つめ９２が直鎖状のラック９８に対して移動しないようにする。クランプ表面６４とクランプ表面６６とが互いにさらに離れることを可能にするためには、つめ９２の末端に係合するスイッチ１００を押さなければならない。スイッチ１００を押すことにより、係止部材９０がその非係止位置まで移動する。より詳細には、スイッチ１００は、第２のジョー６２に枢動可能に取り付けられ、そして、一端がスイッチ１００の本体に固定されていると共に他端が第２のジョー６２の（符号１０３で示されている）静止構造部に係合している弾性アーム１０２によって、その係止位置まで付勢されている。弾性アーム１０２はスイッチ１００の本体を貫通してヒンジ１０４の一方の側でスイッチ１００の残りの部分と結合し、つめラッチ１０６はつめ９２の末端１０７に係合する。スイッチ１００を押すと、スイッチ１００はつめラッチ１０６が上がるように弾性アーム１０２の付勢に抗して枢動し、したがって、つめ９２の係止先端１０８が上がってラチェット歯９６との係合から外れる。より詳細には、スイッチ１００を押すことにより、歯９６の停止表面９８よりも上までつめ９２が上がり、したがって、クランプ表面６４、６６が互いから離れて移動するように、第１のジョー６０と第２のジョー６２との相対運動が可能になる。
【００１９】
したがって、クランプ表面６４とクランプ表面６６との間で支持部材を締め付けることによって、クランプ１４を支持部材に取り付けることができ、また、スイッチ１００を押すことによって解除可能な係止部材９０を解除し、第１のクランプ表面６４と第２のクランプ表面６６とが離れて移動することができるようにすることによって、支持部材の取り付け位置からクランプ１４を取り外すことができるが分かる。クランプ表面６４とクランプ表面６６との離隔距離によって画定されているマウス１１０は、つめ９２がラック９８の最も遠い歯９６に係合する場所に画定される最大幅（図７の配向において）を有することが理解されよう。クランプ１４は、マウス１１０内に嵌合することができる任意の支持部材に取り付けることができる。テーブル又はカウンタの一対のレッジに取り付けるときには、クランプ表面６４及び６６のほぼ平坦な表面がテーブルの向かい合った表面に係合し、また、棒に取り付けるときには、棒がデテント７２及び７４に配置される。
【００２０】
最初にクランプ１４を支持部材に固定するために、手動で締め付けることができる。詳細には、クランプ１４のマウス１１０を支持部材上に置くことができ、個人は、クランプ表面６４、６６を支持部材に係合させるように、第１のジョー６０と第２のジョー６２とを締め付けることができる。安定した方法でクランプ１４を支持部材に固定するためにクランプ１４を適切に締め付けるための手の強度を個人が有していないことがあるので、クランプ１４を支持部材に適切に固定するには手の圧力が不十分であることが分かることがある。したがって、第１のジョー６０と第２のジョー６２とを互いに向かって締め付けることによって最初のマクロ調整が手によって実行された後にクランプ１４を支持部材に更に締めるために、マイクロ調整部材１２０が設けられている。図示の実施形態では、マイクロ調整部材１２０は、クランプ表面６６が固定されているねじ１２２を包含する。このねじ１２２は第２のジョー６２のねじ穴１２４を貫通して延び、これにより、ねじ１２２を選択的に回転させて、クランプ表面６４に対してのクランプ表面６６の位置を調整することができる。ノブ１２６はねじ１２２を回転させることを目的として設けられ、一方向にねじ１２２を回転させることによってクランプ表面６６をクランプ表面６４に向かって移動させ、また反対の方向にねじ１２２を回転させることによってクランプ表面６６をクランプ表面６４から離れて移動させることができる。
【００２１】
クランプマウント８０は、第１のジョー６０から、より詳細には、クランプ表面６４とは反対の側へ延びている。クランプマウント８０は、クランプ１４に容器ホルダー１２を取り付けることができるように、後部マウント５０又は底部マウント５２のいずれかと相互作用する。したがって、容器ホルダー１２を底部取り付けの配向で第１のジョー６０に取り付けるために底部マウント５２とクランプマウント８０とが選択的に組み合い、又は容器ホルダー１２を後部取り付けの配向で第１のジョー６０に取り付けするために後部マウント５０とクランプマウント８０とが選択的に組み合う。
【００２２】
この実施形態では、クランプマウント８０は、ポスト８２と、このポスト８２から延びているフランジ８４とを包含する凸型マウントである。ポスト８２は、後部マウント５０のトラック５１及び底部マウント５２のトラック５３のいずれか１つにおいてフランジ８４を受けることができるように、第１のジョー６０の取り付け側６１からフランジ８４を上げる。より詳細には、クランプ１４を支持表面に取り付けることができ、また、トラック５１、５３のうちの１つにあるクランプマウント８０まで容器ホルダー１２を摺動させることによって、容器ホルダー１２を支持表面に取り付けすることができる。本明細書に開示されている特定の実施形態では、クランプマウント８０の凸型マウントとトラック５１及び５３の凹型マウントとが示されているが、後部マウントと底部マウントとが同一どぇあるように選択されるという条件の下で、底部マウントを凸型マウント及び凹型マウントから選択することができると共に、後部マウントを凸型マウント及び凹型マウントから選択することができ、底部マウント及び後部マウントが凸型マウントであるように選択される場合には、クランプマウントは凹型マウントであるように選択され、又は底部マウント及び後部マウントが凹型マウントであるように選択される場合には、クランプマウントは凸型マウントであるように選択されることを認識されたい。
【００２３】
次に図８を参照するに、垂直方向に延びている支持部材２００にクランプ１４を取り付けことができ、これにより、クランプマウント８０が第１のジョー６０の垂直面２０２に提示され、後部マウント５０が、容器ホルダー１２を後部取り付けの配向で提示するためにクランプマウント８０と選択的に組み合い、底部壁１６の頂面１８はこの頂面１８上で使用に適切な配向で容器を選択的に受けるようにほぼ水平方向に延びていることが分かる。垂直方向に延びている支持部材２００は単に壁であるが、棒も同様に好適であることを認識されたい。
【００２４】
図９では、クランプマウント８０は同様に垂直表面２０４に提示されるが、クランプ１４は水平方向に延びている支持部材２０６に取り付けられ、クランプ１４の開いたマウス１１０は、図８におけるような水平方向ではなくて、下向きに延びている。後部マウント５０は、容器ホルダー１２を後部取り付けの配向で提示するためにクランプマウント８０と選択的に組み合い、底部壁１６の頂面１８はこの頂面１８上で使用に適切な配向で容器を選択的に受けるようにほぼ水平方向に延びている。特に、クランプ１４に関しては、図８の容器ホルダー１２は図９の容器ホルダー１２と比較して９０度回転している。したがって、この容器取り付け装置は、所望の場所での容器の取り付けを実行するためにはどのように構成され得るかに関して非常に融通性が高い。
【００２５】
さらなる融通性について図１０及び図１１に示す。図１０では、クランプ１４はクランプマウント８０が第１のジョー６０の水平表面２１０に提示されるように水平方向に延びている支持部材２０８に取り付けられ、底部マウント５０がクランプマウント８０と選択的に組み合って容器ホルダー１２を後部取り付けの配向で提示し、底部壁１６の頂面１８はこの頂面１８上で使用に適切な配向で容器を選択的に受けるようにほぼ水平方向に延びている。図１１では、容器ホルダー１２はまた図１０と同様に取り付けられたクランプ１４に取り付けられるが、容器ホルダー１２は「Ａ」で示されている垂直軸線を中心としてクランプ１４に対して１８０度回転している。特に、フランジ８４の外周は正方形であるので、垂直軸線Ａを中心として９０度で回転した４つの異なる位置に容器ホルダー１２を取り付けすることが可能になる。
【００２６】
したがって、クランプマウント８０は、互いに回転方向にオフセットした様々な位置において容器ホルダー１２を後部取り付けの配向でクランプマウント８０に取り付けることが可能になるように、複数の配向で後部マウント５０において選択的に受けられる。同様に、クランプマウント８０は、互いに回転方向にオフセットした様々な位置において容器ホルダー１２を底部取り付けの配向でクランプマウント８０に取り付けすることが可能になるように、複数の配向で底部マウント５２において選択的に受けられる。凸型マウント部材と凹型マウント部材とが組み合っている、本明細書に示された実施形態において採用された特定の容器取り付け装置の場合、クランプマウント８０に対して容器ホルダー１２を単に回転させることによって、容器ホルダーを非常に多くの配向で取り付けることが可能である。
【００２７】
より詳細には、クランプマウント８０のフランジ８４は、偶数の辺を有する正多角形（この場合、正方形）を画定する最も外側の縁部を備える外周を有する。正多角形の２つの向かい合った辺の第１のセットが第１の配向又はこの第１の配向から１８０度オフセットした第２の配向でトラック５１又は５３のいずれかにおいて選択的に受けられ、また、正多角形の２つの向かい合った辺の第２のセットが第３の配向又はこの第３の配向から１８０度オフセットした第４の配向でトラック５１又は５３のいずれかにおいて選択的に受けられるように、この多角形（正方形）の向かい合った辺のいずれかをトラック５１又は５３で受けることができる。９０度ずつオフセットした異なる配向で容器ホルダー１２を取り付けることができる。この概念は、より多くの、好ましくは偶数の辺を備える正多角形を画定する外周を有する凸型マウントフランジに適用することができ、これにより、多角形の様々な対向する辺はすべて同じ長さ離れており、したがって、凹型マウントによって形成されたトラックにおいて受けることが可能であることを認識されたい。６辺の正多角形（すなわち六角形）を画定する外周を有する凸型マウントフランジの場合には、６０度ずつオフセットした異なる配向で容器ホルダー１２を取り付けることができ、また、８辺の正多角形（すなわち、八角形）を画定する凸型マウントフランジの場合には、４５度ずつオフセットした異なる配向で容器ホルダー１２を取り付けることができる。
【００２８】
凸型マウントが（ポスト及びフランジの形態で）クランプ１４に設けられ、また凹型マウントが（向かい合ったトラックの形態で）容器ホルダー１２に設けられているが、これらの位置を入れ替えてもよいことを留意されたい。つまり、容器ホルダー１２は後部及び底部に凸型マウントを設けることができ、またクランプは容器ホルダーの後部又は底部に凸型マウントのうちの１つを選択的に受ける凹型マウントを設けることができる。
【００２９】
容器ホルダー１２が後部マウント５０でクランプマウント８０に取り付けられるときには、クランプマウント８０は解除可能な後部ラッチ５４の傾斜表面１３０上で摺動し、それから、解除可能な後部ラッチ５４の停止表面１３２によって後部マウント５０の定位置に保持される。解除可能な後部ラッチ５４は、そのリビングヒンジ１３４に起因して容易に移動し、容器ホルダー１２が取り付けられると、クランプマウント８０の経路から外に移動し、それから、完全に定位置へと摺動されると、容器ホルダー１２が外れないように防ぐために経路中に移動する。解除可能な後部ラッチ５４は、後部マウント５０に取り付けられると、クランプマウント８０の取外しの経路から停止表面１３２を押し出し、クランプ１４から容器ホルダー１２を取り外すことができる。同様に、容器ホルダー１２が底部マウント５２でクランプマウント８０に取り付けられるときには、クランプマウント８０は、解除可能な底部ラッチ５６の傾斜表面１３６上で摺動し、それから、解除可能な底部ラッチ５６の停止表面１３８によって底部マウント５２の定位置に保持される。解除可能な底部ラッチ５６は、そのリビングヒンジ１４０に起因して容易に移動し、容器ホルダー１２が取り付けられると、クランプマウント８０の経路から外に移動し、それから、完全に定位置へと摺動されると、容器ホルダー１２が外れないように防ぐために経路中に移動する。解除可能な底部ラッチ５６は、底部マウント５２で取り付けられると、クランプマウント８０の取外しの経路から停止表面１３８を押し出し、クランプ１４から容器ホルダー１２を取り外すことができる。
【００３０】
本発明の容器取り付け装置によれば、施設の様々な場所に複数のクランプ１４を配置することが可能であり、１つ又は複数の容器ホルダー１２を所望の製品を保持する、関連する容器とともに、必要に応じて所定のクランプ１４に取り付けるために施設のスタッフによって持ち運ぶことができる。例えば、病院では、クランプ１４は各病室でＩＶスタンドに、並びに浴室及び手術室及び廊下に（ほぼどこにでも）取り付けることができ、病院のスタッフは手指殺菌剤の関連する容器とともに自分自身の容器ホルダーを持ち運ぶことができ、手指殺菌剤の容器を必要に応じて所定の室内、浴室、廊下などに取り付けることができる。このようにすると、所望の製品、この場合には殺菌剤の容器を所定のスタッフメンバーがすぐに利用することができるようになり、多数の場所に容器又はディスペンサを恒久的に取り付ける必要がない。特に恒久的に取り付けられた容器及びディスペンサと比較して比較的安価であるクランプは多数の支持部材に取り付けることができ、またより少数の容器ホルダー及び関連する容器を必要に応じて取り付けて使用するために持ち運ぶことができる。
【００３１】
上記に照らして、本発明は、複数の方法において構造的かつ機能的に改善された容器取り付け装置を提供することによって、当技術分野を著しく進歩させることを認識されたい。本発明の容器取り付け装置は、その使用を促進するために選択された区域に手指衛生製品の容器を提供するために特に有用であることが分かり、患者ケア産業及び食品産業は、本発明の容器取り付け装置の使用によりから特に恩恵を受け得る。実際には、本発明の容器取り付け装置の棒取り付け機能は、患者のＩＶスタンドに製品の容器を取り付けるために特に有用であることが分かる。しかしながら、本発明は特定の製品又は特定の環境に限定されるものではない。
【図１】
2014507341.tif 000003
【図２】
2014507341.tif 000004
【図３】
2014507341.tif 000005
【図４】
2014507341.tif 000006
【図５】
2014507341.tif 000007
【図６】
2014507341.tif 000008
【図７】
2014507341.tif 000009
【図８】
2014507341.tif 000010
【図９】
2014507341.tif 000011
【図１０】
2014507341.tif 000012
【図１１】
2014507341.tif 000013
【国際調査報告】
2014507341.tif 000014
2014507341.tif 000015
2014507341.tif 000016